(57)【要約】【課題】  プランターを使用しての植物の栽培では、通常は人手による散水が行われており、長期の外出、休暇、人手不足、面倒である、忘れたなど多くの理由で散水を行わず栽培している植物を枯渇させてしまう例が多々あった。【解決手段】  貯水部に供給される水が定められた上限水面位置に達すると、上限を検出するフロートセンサーが働き、給水ポンプが作動してプランターに給水を行い、貯水部の水量が減り下限を検出するフロートセンサーが作動すると給水ポンプの作動が止まり、再び貯水されるよう自動化した給水装置を提供するものである。【選択図】図２
2010142209.tif 000002
【特許請求の範囲】
【請求項１】
水面の上限と下限の貯水量を検知するフロートセンサーと、プランターに水を給水する給水ポンプで構成し、電気的制御で貯水と給水の切換が出来ることを特徴とする給水装置。
【請求項２】
前記給水装置において、ケースを上下に分割し、上方に貯水量の上限と下限を検知するフロートセンサーおよび給水ポンプを設けた貯水部と、下方に電気的制御部を設けた構成にして一体化したことを特徴とする装置。
【請求項３】
前記給水装置において、水面の上部を検知するフロートセンサーの検知位置と同位置または上方位置に排水口を設けたことを特徴とする装置。
【請求項４】
あらかじめ設定されたタイマーの時間で給水ポンプを作動させた後、貯水量の下限を検知するフロートセンサーの検知により給水ポンプの作動が停止することを特徴とする給水装置。
【請求項５】
前記給水装置において、太陽光電池より電気供給できるようにしたことを特徴とする装置。
【発明の詳細な説明】
【技術分野】
【０００１】  本発明はプランターで栽培している植物に対して、人手をかけず、自動的に給水を可能にできる装置に関するものである。
【発明の開示】
【発明が解決しようとする課題】
【０００２】  プランターを使用しての植物の栽培では、通常は人手による散水が行われており、長期の外出、休暇、人手不足、面倒である、忘れたなど多くの理由で散水を行わず栽培している植物を枯渇させてしまう例が多々ある。
【課題を解決するための手段】
【０００３】  本発明は、エアコンや除湿機や雨水より供給された水が定められた貯水量に達すると自動的にプランターに水を給水し、定められた量を給水すると給水が停止する給水装置である。【０００４】  貯水部に供給される水が定められた上限水面位置に達すると、上限を検出するフロートセンサーが働き、貯水部の下方に設置されている給水ポンプが作動し、散水用チューブを介してプランターに給水を行う。【０００５】  給水ポンプの作動により水量が減り、下限を検出するフロートセンサーが作動すると給水ポンプの作動が止まり、供給される水で再び貯水されるようにしたものである。【０００６】  また、本装置のケースは上側に貯水部、下側に電気制御部と分割されており、上側の貯水部には供給される水を貯水し、下側の電気制御部にはフロートセンサーや給水ポンプを制御する電気制御部品を格納し、装置を一体化にしたものである。【０００７】  また、本装置の貯水部に設けてある水面上限位置を検知するフロートセンサーの位置と同じかまたは上方位置に排水口を設け、定められた貯水量以上に水の供給がなされた時、不要な水として排水口から除去することができるようにしたものである。【０００８】  また、あらかじめタイマーで設定した時間に給水ポンプを作動させて、プランターに給水し、貯水部の下限の貯水量を検知すると給水ポンプの作動が停止し、給水を止めることができるようにしたものである。【０００９】  また、電気設備がなく、本装置を駆動する電気の供給が得られない場所においては、充電装置を具備した太陽光電池より電気を供給し、フロートセンサーにより水量を検知し、給水ポンプの制御ができるようにしたものである。
【発明の効果】
【００１０】  本発明の給水装置は自動的に貯水と給水を可能にしたことで、プランターへの給水を自動化することが可能となり、電気設備がない場所でも使用可能となった。
【発明を実施するための最良の形態】
【００１１】  本発明の実施形態を図面に基づいて説明する。【００１２】  図１は本発明の実施形態である給水装置の外観図で、ケース１の上部の上カバー２には本装置に水を供給するためのホース３のガイド４が装備されている。【００１３】  ケース１の側面には、水面の上限を検知する上限フロートセンサー５と水面の下限を検知する下限フロートセンサー６を装備し、上限フロートセンサー５のケーブル５ａと下限フロートセンサー６のケーブル６ａ、及び図２に示す給水ポンプ９のゲーブル９ａを覆うケーブルカバー７と電源スイッチ８を装備している。【００１４】  図２は、本発明の給水装置の内部を示す図で、ケース１は、仕切板１ａで上下に分割されており、上方はエアコンや除湿機や雨水タンクなどの水の供給装置１０からホース３を介してガイド４により供給される水を貯水する貯水部となっている。【００１５】  下方は、貯水部の水位の上限水面１１と下限水面１１ａを検出する上限フロートセンサー５と下限フロートセンサー６及び給水ポンプ９を制御する電気制御ユニット１２、及び電源ユニット１３を装備した電気制御部となっている。【００１６】  上方の貯水部にはケース１の仕切板１ａ上に、給水ポンプ９が配備されており、給水ポンプ９は下側より水を汲み上げ、給水チューブ１４からプランター散水用チューブ１５を介して第３図に示すプランター１６に給水される。【００１７】  水の供給装置１０からホース３を介してガイド４により供給される水の貯水により、上限フロートセンサー５の浮き５ｂが持ち上げられると上限フロートセンサー５がＯＮになり、電気制御ユニット１２により給水ポンプ９が作動し、給水チューブ１４を介してプランター散水用チューブ１５に給水される。【００１８】  給水ポンプ９の作動で水量が減り、貯水量の下限水面１１ａになると、下限フロートセンサー６の浮き６ｂが下方へ下がり、下限フロートセンサー６がＯＦＦになり、電気制御ユニット１２が作動して、給水ポンプ９の作動が停止する。【００１９】    給水ポンプ９の作動停止状態で水の供給装置１０より水が供給されるので、再び上限水位１１まで貯水される。【００２０】  ケース１の上限水位１１と同位置または上方位置には、排水口１ｂが配置されており、電源が入ってなかった時や機器の故障等が発生した時など、水の供給装置１０より水が供給されても、排水口１ｂより排出チューブ１７により排出される。【００２１】  図４において、時間設定ができるタイマー１８が電気制御ユニット１２に接続されている。【００２２】  あらかじめ、タイマー１８に定められた時間を設定すると、定められた時間迄は水の供給装置１０より貯水部に水が供給される。【００２３】  貯水量が上限水面１１以上になると排水口１ｂより排出され、水が溢れることを防止している。【００２４】  タイマー１８で定められた時間になると、電気制御ユニット１２により給水ポンプ９が作動しプランター１６に給水し、貯水量が下限水面１１ａになると、下限フロートセンサー６が働き給水ポンプ９の給水が止まる。【００２５】  図５において、本発明の給水装置を電気設備がない場所で使用するとき、給水装置と太陽光電池１９を接続する構成にし、電気を供給することで使用可能とし���。【００２６】  充電装置を装備した太陽光電池１９を太陽光の当たる場所に設置して充電を行なう。【００２７】  太陽光電池１９と給水装置の電源スイッチ８はワイヤーによって接続されており、電気制御ユニット１２に電気の供給を行なっている。【００２８】  給水装置は、電源スイッチ８がＯＮのとき可動状態になっており、上限水位１１、下限水位１１ａで上限フロートセンサー５と下限フロートセンサー６が作動し、給水ポンプ９の作動と停止によって、給水と貯水を繰り返す。
【図面の簡単な説明】
【００２９】
【図１】  本発明の給水装置の外観斜視図を示す
【図２】  給水装置の内部詳細図を示す
【図３】  給水装置とプランターの関係図を示す
【図４】  給水装置とタイマーの関係図を示す
【図５】  給水装置と太陽光電池の関係図を示す
【符号の説明】
【００３０】    １  ケース
１ａ  仕切板
１ｂ  排出口
２  上カバー
３  ホース
４  ガイド
５  上限フロートセンサー
６  下限フロートセンサー
７  ケーブルカバー
８  電源スイッチ
９  給水ポンプ
１０  水の供給装置
１１  上限水位
１１ａ  下限位置水面
１２  電気制御ユニット
１３  電源ユニット
１４  給水チューブ
１５  プランター散水用チューブ
１６  プランター
１７  排出チューブ
１８  タイマー
１９  太陽光電池
２０  支柱
【図１】
2010142209.tif 000003
【図２】
2010142209.tif 000004
【図３】
2010142209.tif 000005
【図４】
2010142209.tif 000006
【図５】
2010142209.tif 000007